(57)【要約】      （修正有）【課題】宗派の決まり事や、昔からの慣習などにとらわれず、故人や亡くなったペットに関する位牌、写真、遺品などを、使用者が、自由なレイアウトで設置して、故人などを偲ぶ祈りの場とすることができる祈り棚を用いた仏壇を提供する。【解決手段】上下方向に設けた板状部材２と、該板状部材２の前側に固設した棚板３を備えた祈り棚１を有する仏壇であって、板状部材２の下部を他部材に固設することなく、祈り棚１を任意の場所に設置することができるようにした。【選択図】図５
0003210970.tif 000002
【実用新案登録請求の範囲】
【請求項１】
上下方向に設けた板状部材と、該板状部材の前側に固設した棚板を有する祈り棚であって、
前記板状部材の下部を他部材に固設することなく、前記祈り棚を任意の場所に設置することができるようにしたことを特徴とする祈り棚。
【請求項２】
上下方向に設けた板状部材と、該板状部材の前側に固設した棚板を備えた祈り棚を有する仏壇であって、
前記板状部材の下部を他部材に固設することなく、前記祈り棚を前記仏壇内の任意の場所に設置することができるようにしたことを特徴とする仏壇。
【請求項３】
前記仏壇は、その前面に、開閉扉を開閉可能に設け、該開閉扉には、開閉扉を閉じた状態において、外部から内部を視認できる透光部材を有し、開閉扉を閉めた状態で、前記祈り棚を外部から視認できるようにしたことを特徴とする請求項２記載の仏壇。
【請求項４】
前記開閉扉の下方に、前後方向に摺動可能な摺動棚板を設け、該摺動棚板を収納した状態で開閉できる摺動棚板収納扉を設けたことを特徴とする請求項３記載の仏壇。
【考案の詳細な説明】
【技術分野】
【０００１】
本考案は、祈り棚及びそれを用いた仏壇に関するものである。
【背景技術】
【０００２】
近年、故人や亡くなったペットを身近に感じることができるように、仏壇を、リビングに設置することが増えてきているため、リビング内の装飾に合うように、家具調の仏壇が提案されている。
【０００３】
しかし、従来の仏壇は、宗派等により収納物のレイアウトが決まっており、そのレイアウトに沿うように棚等が固定して設けられている。
【０００４】
そのため、例えば、故人の位牌と、亡くなったペットの遺品とを同じ仏壇内に置くことは困難であった。
【考案の概要】
【考案が解決しようとする課題】
【０００５】
そこで、宗派の決まり事や、昔からの慣習などにとらわれず、故人や亡くなったペットに関する位牌、写真、遺品などを、使用者が、自由なレイアウトで設置して、故人などを偲ぶ祈りの場とすることができる祈り棚及びそれを用いた仏壇を提案することを目的とするものである。
【課題を解決するための手段】
【０００６】
前記の課題を解決するために、請求項１記載の考案は、上下方向に設けた板状部材と、該板状部材の前側に固設した棚板を有する祈り棚であって、
前記板状部材の下部を他部材に固設することなく、前記祈り棚を任意の場所に設置することができるようにしたことを特徴とする祈り棚である。
【０００７】
請求項２記載の考案は、上下方向に設けた板状部材と、該板状部材の前側に固設した棚板を備えた祈り棚を有する仏壇であって、
前記板状部材の下部を他部材に固設することなく、前記祈り棚を前記仏壇内の任意の場所に設置することができるようにしたことを特徴とする仏壇である。
【０００８】
請求項３記載の考案は、請求項２記載の考案において、前記仏壇は、その前面に、開閉扉を開閉可能に設け、該開閉扉には、開閉扉を閉じた状態において、外部から内部を視認できる透光部材を有し、開閉扉を閉めた状態で、前記祈り棚を外部から視認できるようにしたことを特徴とするものである。
【０００９】
請求項４記載の考案は、請求項３記載の考案において、前記開閉扉の下方に、前後方向に摺動可能な摺動棚板を設け、該摺動棚板を収納した状態で開閉できる摺動棚板収納扉を設けたことを特徴とするものである。
【考案の効果】
【００１０】
本考案によれば、上下方向に設けた板状部材と、板状部材の前側に固設した棚板を有する祈り棚、又は、この祈り棚を有する仏壇であって、板状部材の下部を他部材に固設することなく、前記祈り棚の設置位置を任意に設定することができるようにしたことにより、過去の慣習にとらわれることなく、祈り棚を、使用者の用途に応じて任意の場所に設置でき、使用者が、自由なレイアウトで、故人や亡くなったペットに関する位牌、写真、遺品などを配置することができる。
【図面の簡単な説明】
【００１１】
【図１】本考案の実施例１に係る祈り棚の斜視図。
【図２】図１の正面図。
【図３】図１の右側面図。
【図４】図１の祈り棚を敷板に載置した状態の斜視図。
【図５】図１の祈り棚の使用例を示す斜視図。
【図６】本考案の実施例２に係る仏壇の正面図。
【図７】図６の斜視図。
【図８】図６のＡ−Ａ線断面図。
【図９】図６の状態から全ての扉を開くとともに、摺動棚板を前方に移動させた状態の正面図。
【図１０】図９の斜視図。
【図１１】図９のＢ−Ｂ線断面図。
【図１２】図６の仏壇の使用例を示す斜視図。
【図１３】本考案の実施例２に係る仏壇の変形例の一例を示す斜視図。
【図１４】本考案の実施例２に係る仏壇の変形例の他例を示す斜視図。
【考案を実施するための形態】
【００１２】
本考案を実施するための形態を図に基づいて説明する。
【００１３】
［実施例１］
図１は、本考案の祈り棚１を示すもので、図１はその斜視図を示し、図２は正面図、図３は右側面図を示す。
【００１４】
祈り棚１は、図１〜図３に示すように、上下方向に設けられるとともに板状に形成された板状部材２と、板状部材２の前側である前面に固設した棚板３を備えている。
【００１５】
板状部材２は、その前面形状が長方形状に形成され、その前面２ａには、縦断面が三角形状となる溝２ｂが、横方向全体に亘って形成され、この溝２ｂは、板状部材２の上端部から下端部にかけて複数並設されている。板状部材２の高さと横幅は任意に設定されている。なお、板状部材２の形状は、図１〜３に示すような方形状に限定されず任意に形成することができるとともに、その前面２ａに施される意匠も図１〜３に示す意匠以外にも任意の意匠を施すことができる。
【００１６】
棚板３の横幅は、板状部材２の横幅と同じになるように設定されている。棚板３の奥行きは任意に設定することができる。
【００１７】
棚板３における横方向の中央部の下部には、上下方向に設けられた支脚５が固設され、支脚５の上端は棚板３の下面に当接し、その下端は、板状部材２の下端と同じ位置（高さ）になるように設定されている。
【００１８】
祈り棚１は、例えば、図４に示すように、板状に形成された敷板１０の上に載置することができる。この祈り棚１は、敷板１０に対して固定されておらず、すなわち、板状部材２の下部は他部材である敷板１０には固定されておらず、図４、図５に示すように、敷板１０の任意の位置に祈り棚１を載置することができる。
【００１９】
また、棚板３や敷板１０の上には、例えば、図５に示すように、お位牌や仏具を載置して、祈り棚１を須弥壇として用いるとともに、オープン仏壇を構成することができる。
【００２０】
また、棚板３や敷板１０の上に、故人や亡くなったペットなどの写真や、遺品、思い出の品などを載置して、祈り棚１を、故人や亡くなったペットなどを偲ぶ場所として用いてもよい。
【００２１】
また、祈り棚１は、板状部材２の下部が、他部材には固定されていないために、使用者が、祈り棚１を任意の場所に自由に設置することができる。
【００２２】
また、敷板１０を用いずに、カウンターや収納棚の棚板の上に、祈り棚１を直接載置して、任意の場所にオープン仏壇や故人などを偲ぶ場所などとして構成するようにしてもよい。
【００２３】
［実施例２］
本実施例２は、上記実施例１の祈り棚１を、仏壇１１内に設けた実施例である。
【００２４】
仏壇１１は、左右に一対の側枠１２，１２を有し、側枠１２，１２間の上端に上板１３を架設し、下端に底板１４を架設し、後端に背板１５が架設されている。
【００２５】
側枠１２，１２間の上下方向の中央部には、中板１７が固設されている。側枠１２，１２、上板１３，背板１５、中板１７により、上側収納空間２０が形成されている。
【００２６】
上側収納空間２０の前端部には、上側開閉扉２１が、横方向に片開き状に開閉可能に設けられている。上側開閉扉２１における上下方向の中央部には、上側開閉扉２１を閉じた状態において、外部から内部を視認できるガラスなどの透光部材２２が設けられている。透光部材２２の下端は、図８に示すように、後述する可動棚として用いる敷板１０を最も下部に位置した状態におけるその上面と略同じに設定されている。上側開閉扉２１の上部と下部は、上側開閉扉２１が閉じた状態で、外部から内部を視認できない木などの部材で構成されている。なお、本実施例では、上側開閉扉２１を片開き状に１枚設けたが、上側開閉扉を、観音開き状に左右に１対設けてもよい。
【００２７】
上側収納空間２０内には、上側可動棚板２４と、上記実施例１と同様の敷板１０が上下方向の高さを変えることができるように設けられている。敷板１０は本実施例のように仏壇１１内に載置した場合には、可動棚の役割を果たす。
【００２８】
上側可動棚板２４は、光を透過できるガラスなどの透光部材で構成され、敷板１０は、光を通さない木など構成されている。これにより、上側収納空間２０の上端部に設けた光源２６から発せられた光が、上側可動棚板２４の下側の空間にまで届き、光源２６により、上側収納空間２０における敷板１０より上側の空間全体を照らすことができるようになっている。
【００２９】
上側収納空間２０における敷板１０より上側の空間は、上側開閉扉２１を閉じた状態において、透光部材２２を通して外部から内部を視認できるようになっている。すなわち、上側可動棚板２４と敷板１０の上に載置したものを、外部から視認できるようになっている。また、上側開閉扉２１を閉じた状態において、上側収納空間２０における敷板１０より下側の空間は、外部から視認できないようになっている。
【００３０】
中板１７の下部には、摺動棚板２７が前後方向に摺動可能に設けられている。摺動棚板２７は、側枠１２，１２間における上側収納空間２０の下側に形成された中央収納空間３０内に収納できるとともに、前側に摺動させた際には、側枠１２，１２の前端より前方に突出するようになっている。中央収納空間３０の前方には上下方向に開閉可能な摺動棚板収納扉３１が設けられ、摺動棚板２７を中央収納空間３０内に収納した状態で、摺動棚板収納扉３１を閉じることができるようになっている。
【００３１】
側枠１２，１２、底板１４，背板１５、摺動棚板２７で下側収納空間３５が形成されている。下側収納空間３５の前端部には、下側開閉扉３６が横方向に片開き状に開閉可能に設けられている。また、下側収納空間３５内には、下側可動棚板３７が、上下方向の高さを変えることができるように設けられている。なお、本実施例では、下側開閉扉３６を片開き状に１枚設けたが、下側開閉扉を、観音開き状に左右に１対設けてもよい。
【００３２】
仏壇１１における上側収納空間２０内に設けた可動棚板２４や敷板１０の上に、上記実施例１と同様の祈り棚１を載置することができるようになっている。
【００３３】
祈り棚１は、その板状部材２の下部が他部材には固定されていないことから、図６〜図１２に示すように、祈り棚１を、上側収納空間２０内の任意の位置に載置することができる。また、上側収納空間２０内に、祈り棚１を、図１３に示すように上下に２個設けたり、図１４に示すように左右に２個設けてもよい。また、３個以上設けてもよい。このように、従来の慣習等にとらわれることなく、祈り棚１を自由に設置することができる。
【００３４】
図１２に示すように、祈り棚１の棚板３の上に、ご位牌やご本尊を載置した際には、この棚板３は須弥壇の役割を果たし、上側収納空間２０を閉めた状態においても、透光部材２２を通して、外部からご位牌やご本尊などを視認できるようになっている。また、摺動棚板２７の上には、木魚、りん、蝋燭立て、線香立てなどをおくことができ、これらを置いた状態のままで、摺動棚板２７とともに、中央収納空間３０内に収納することができるようになっている。
【００３５】
また、上側開閉扉２１を閉じた状態においては、上側収納空間２０における敷板１０より下側の空間は、外部から視認できないようになっているので、中板１７の上には、通常時には、外部から視認されたくない品を収納することができる。
【００３６】
また、祈り棚１の棚板３の上には、ご位牌やご本尊以外にも、故人や亡くなったペットなどの写真や、遺品、思い出の品などを任意の物品を載置してもよい。
【００３７】
その他の構造は、上記実施例１と同様であるため説明を省略する。
【００３８】
本実施例２においても、上記実施例１と同様の作用効果を発揮することができる。
【００３９】
［実施例３］
上記実施例２においては、仏壇１１内に祈り棚１を収納したが、既にリビング等に設置されている収納棚などの内部に祈り棚１を載置して、仏壇として用いるようにしてもよい。
【００４０】
その他の構造は、上記実施例１，２と同様であるため説明を省略する。
【００４１】
本実施例３においても、上記実施例１，２と同様の作用効果を発揮することができる。
【符号の説明】
【００４２】
１  祈り棚
２  板状部材
３  棚板
１１  仏壇
２１  開閉扉
２２  透光部材
２７  摺動棚板
３１  摺動棚板収納扉
【図１】
0003210970.tif 000003
【図２】
0003210970.tif 000004
【図３】
0003210970.tif 000005
【図４】
0003210970.tif 000006
【図５】
0003210970.tif 000007
【図６】
0003210970.tif 000008
【図７】
0003210970.tif 000009
【図８】
0003210970.tif 000010
【図９】
0003210970.tif 000011
【図１０】
0003210970.tif 000012
【図１１】
0003210970.tif 000013
【図１２】
0003210970.tif 000014
【図１３】
0003210970.tif 000015
【図１４】
0003210970.tif 000016